(57)【要約】【課題】電子データ化された電子文書を印刷する場合において、利用者の閲覧を容易にするよう各ページ画像をレイアウトする画像形成装置を実現する。【解決手段】本発明に係るデジタル複合機は、原稿を電子化した画像データが表す複数のページ画像を所定順に記録シートに印刷するものであって、ページ画像の中から、原稿のページの表裏に応じて位置、形状、または有無が異なるマークを検出する穴跡検出部１０４と、上記マークが検出された位置、形状、または有無に基づき、ページ画像が、原稿の表裏のいずれの面を示すものであるかを判定する表裏判定部１０５と、上記判定結果に基づき、ページ画像を記録シートに印刷するレイアウトを決定するレイアウト処理部１０６とを備え、決定した上記レイアウトにしたがってページ画像を記録シートに印刷する。それゆえ、原稿のページ構成を再現して印刷することができる。【選択図】図２
2011035667.tif 000002
【特許請求の範囲】
【請求項１】
原稿の表の面または裏の面の画像を示すページ画像を複数有する画像データについて、上記画像データで示される複数のページ画像を所定の順序に配置して記録シートに形成する画像形成装置において、
上記複数のページ画像は、上記原稿の表の面か裏の面かに応じて異なる位置に形成されるマーク、上記原稿の表の面か裏の面かに応じて形状が異なるマーク、または、上記原稿のいずれか一方の面にのみ形成されるマークを含んでおり、
上記複数のページ画像から上記マークを検出する検出部と、
各ページ画像から検出された上記マークの位置、形状、または有無に基づき、当該ページ画像が上記原稿の表の面の画像を示すものか裏の面の画像を示すものであるかを判定する面判定部と、
上記ページ画像に対する上記面判定部による判定結果に基づき、上記ページ画像を記録シートに形成する際のレイアウトを決定するレイアウト決定部とを備え、
決定した上記レイアウトにしたがって上記ページ画像を記録シートに形成することを特徴とする画像形成装置。
【請求項２】
記録シートの第１の面および第２の面に対してこの順にページ画像が配置された記録シートを排出する両面印刷モードが指定されている場合、上記レイアウト決定部は、上記面判定部が、連続して配置される２つの上記ページ画像に対して、前のページ画像が裏の面の画像を示し、後のページ画像が表の面の画像を示すと判定したとき、当該前のページ画像を記録シートの第２の面に配置し、当該後のページ画像を次の記録シートの第１の面に配置すると決定することを特徴とする請求項１に記載の画像形成装置。
【請求項３】
記録シートの第１の面および第２の面に対してこの順にページ画像が配置された記録シートを排出する両面印刷モードが指定されている場合、上記レイアウト決定部は、上記面判定部により上記原稿の表の面の画像を示すと判定されたページ画像を記録シートの第１の面に配置し、上記面判定部により裏の面の画像を示すと判定されたページ画像を当該記録シートの第２の面に配置すると決定することを特徴とする請求項１または２に記載の画像形成装置。
【請求項４】
記録シートの１つの面を偶数個の領域に分割し、各領域に対して予め設定された配置順序に従って各ページ画像が各領域に配置された記録シートを排出する複数画像集約印刷モードが指定されている場合、上記レイアウト決定部は、上記面判定部が、連続して配置される２つの上記ページ画像に対して、前のページ画像が裏の面の画像を示し、後のページ画像が表の面の画像を示すと判定したとき、当該前のページ画像を上記配置順序が奇数番目の領域に配置すると決定することを特徴とする請求項１に記載の画像形成装置。
【請求項５】
上記検出部は、上記ページ画像の所定の領域の中から所定形状のマーク候補を２つ抽出し、上記２つのマーク候補の間隔が、パンチ穴またはステープル穴の規定の間隔を含む所定範囲内である場合、上記マーク候補を上記マークとして検出することを特徴とする請求項１から４のいずれか一項に記載の画像形成装置。
【請求項６】
原稿の表の面または裏の面の画像を示すページ画像を複数有する画像データを画像形成装置に出力して、上記画像データで示される複数のページ画像を所定の順序に配置して記録シートに形成させる画像処理装置において、
上記複数のページ画像は、上記原稿の表の面か裏の面かに応じて異なる位置に形成されるマーク、上記原稿の表の面か裏の面かに応じて形状が異なるマーク、または、上記原稿のいずれか一方の面にのみ形成されるマークを含んでおり、
上記複数のページ画像から上記マークを検出する検出部と、
各ページ画像から検出された上記マークの位置、形状、または有無に基づき、当該ページ画像が上記原稿の表の面の画像を示すものか裏の面の画像を示すものであるかを判定する面判定部と、
上記ページ画像に対する上記面判定部による判定結果に基づき、上記ページ画像を記録シートに形成する際のレイアウトを決定し、上記レイアウトにしたがって上記画像データを修正するレイアウト決定部とを備え、
上記修正した画像データを上記画像形成装置に出力することを特徴とする画像処理装置。
【請求項７】
原稿の表の面または裏の面の画像を示すページ画像を複数有する画像データについて、上記画像データで示される複数のページ画像を所定の順序に配置して記録シートに形成する画像形成方法において、
上記複数のページ画像は、上記原稿の表の面か裏の面かに応じて異なる位置に形成されるマーク、上記原稿の表の面か裏の面かに応じて形状が異なるマーク、または、上記原稿のいずれか一方の面にのみ形成されるマークを含んでおり、
上記複数のページ画像から上記マークを検出する検出ステップと、
各ページ画像から検出された上記マークの位置、形状、または有無に基づき、当該ページ画像が上記原稿の表の面の画像を示すものか裏の面の画像を示すものであるかを判定する面判定ステップと、
上記ページ画像に対する上記面判定ステップにおける判定結果に基づき、上記ページ画像を記録シートに形成する際のレイアウトを決定するレイアウト決定ステップとを含み、
決定した上記レイアウトにしたがって上記ページ画像を記録シートに形成することを特徴とする画像形成方法。
【請求項８】
請求項６に記載の画像処理装置としてコンピュータを機能させるための制御プログラムであって、コンピュータを上記の各部として機能させるための制御プログラム。
【請求項９】
請求項８に記載の制御プログラムを記録したコンピュータ読み取り可能な記録媒体。
【発明の詳細な説明】
【技術分野】
【０００１】
本発明は、複数ページを含む電子文書を記録シートに画像形成する画像形成装置、画像処理装置、および画像形成方法に関する。
【背景技術】
【０００２】
最近では、印刷物である原稿をスキャナ等で読み取り、電子データ化された電子文書として該原稿を保存し、利用することが行われている。しかしながら、該原稿が両面印刷されたものである場合、電子データ化された電子文書においては、通常、表裏の情報は失われてしまっている。
【０００３】
特許文献１には、読み取った原稿の画像情報に表または裏を表す情報を付加して画像情報を送信するファクシミリ装置が開示されている。このファクシミリ装置は、例えば原稿の両面を同時に読み取ることができ、原稿を読み取ったときに、読み取った面が表であるか裏であるかを判定する。
【０００４】
特許文献２には、入力されたドキュメントから、画像処理によってステープルで綴じられていたドキュメントの跡を検出し、同じステープルで綴じられていたドキュメントを自動的にグループ化するコンピュータシステムが開示されている。
【先行技術文献】
【特許文献】
【０００５】
【特許文献１】特開２０００−３５００１５号公報（２０００年１２月１５日公開）
【特許文献２】特開２００３−３１７０７７号公報（２００３年１１月７日公開）
【特許文献３】特開平６−２９０２５１号公報（１９９４年１０月１８日公開）
【特許文献４】特開２００６−２０９５４２号公報（２００６年８月１０日公開）
【特許文献５】特開平５−００６３６６号公報（１９９３年１月１４日公開）
【特許文献６】特開平６−２５９５９６号公報（１９９４年９月１６日公開）
【特許文献７】特開平７−２００６１３号公報（１９９５年８月４日公開）
【発明の概要】
【発明が解決しようとする課題】
【０００６】
以上は印刷物である原稿を電子データ化する場合の技術である。しかしながら、電子データ化された電子文書を改めて用紙に印刷する場合、以下の問題が生じる。
【０００７】
例えば、両面印刷された原稿および片面印刷された原稿が混在する複数のページを有する原稿をスキャナ等で読み取り、電子データ化する場合、作成された電子文書において、片面印刷された原稿の裏面（白紙のページ）は、通常、電子データ化されずに省略される。すなわち、複数のページの電子画像を含む電子文書（例えばＰＤＦファイル等）は、通常、原稿の白紙のページを除いて、両面印刷された原稿の両面の電子画像と、片面印刷された原稿の画像が形成されている側の面の電子画像とが連続したページとなるように電子データ化されている。
【０００８】
したがって、上記のように電子データ化された電子文書を改めて記録シートに両面印刷する場合、白紙のページは既に削除されて電子データとして記録されていないので、オリジナルの原稿とページ構成が異なってしまうという不都合が生じる。例えば、オリジナルの原稿が見開きの連続したページにまたがって記載された回路図、地図、またはその他の画像を含んでいた場合、ページ構成がずれると上記の連続した画像が１枚の用紙の表と裏とに印刷され、利用者にとって見づらくなる。
【０００９】
本発明は、上記の問題点に鑑みてなされたものであり、その目的は、電子データ化された電子文書を印刷する場合において、利用者の閲覧を容易にするよう各ページ画像をレイアウトする画像形成装置または画像処理装置を実現することにある。
【課題を解決するための手段】
【００１０】
本発明に係る画像形成装置は、原稿の表の面または裏の面の画像を示すページ画像を複数有する画像データについて、上記画像データで示される複数のページ画像を所定の順序に配置して記録シートに形成する画像形成装置であって、上記複数のページ画像は、上記原稿の表の面か裏の面かに応じて異なる位置に形成されるマーク、上記原稿の表の面か裏の面かに応じて形状が異なるマーク、または、上記原稿のいずれか一方の面にのみ形成されるマークを含んでおり、上記の課題を解決するために、上記複数のページ画像から上記マークを検出する検出部と、各ページ画像から検出された上記マークの位置、形状、または有無に基づき、当該ページ画像が上記原稿の表の面の画像を示すものか裏の面の画像を示すものであるかを判定する面判定部と、上記ページ画像に対する上記面判定部による判定結果に基づき、上記ページ画像を記録シートに形成する際のレイアウトを決定するレイアウト決定部とを備え、決定した上記レイアウトにしたがって上記ページ画像を記録シートに形成することを特徴としている。
【００１１】
上記の構成によれば、検出部が、原稿の表の面か裏の面かに応じて異なる位置に形成されるマーク、原稿の表の面か裏の面かに応じて形状が異なるマーク、または、上記原稿のいずれか一方の面にのみ形成されるマークをページ画像の中から検出する。そして、ページ画像から検出されたマークの位置、形状、または有無に基づき、面判定部が、上記ページ画像が上記原稿におけるいずれの面に対応するものであるかを判定し、判定結果に基づき、レイアウト決定部が、上記ページ画像を記録シートに形成するレイアウトを決定する。
【００１２】
よって、画像データにおいて元の原稿のページが欠落している場合でも、元の原稿のページ構成を再現して記録シートに画像形成することができる。そのため、利用者の閲覧を容易にするよう各ページ画像をレイアウトすることができる。
【００１３】
また、記録シートの第１の面および第２の面に対してこの順にページ画像が配置された記録シートを排出する両面印刷モードが指定されている場合、上記レイアウト決定部は、上記面判定部が、連続して配置される２つの上記ページ画像に対して、前のページ画像が裏の面の画像を示し、後のページ画像が表の面の画像を示すと判定したとき、当該前のページ画像を記録シートの第２の面に形成し、当該後のページ画像を次の記録シートの第１の面に配置すると決定してもよい。
【００１４】
上記の構成によれば、元の原稿のページ構成を再現し、例えば、元の原稿において表の面に形成されていたページ画像は記録シートの第１の面に、元の原稿において裏の面に形成されていたページ画像は記録シートの第２の面に、それぞれ形成することができる。そのため、元の原稿において見開きの位置関係にあった２つのページ画像について、それを画像形成した記録シートにおいても見開きの位置関係にすることができる。見開きの位置関係にある２つのページ画像の内容が互いに関連している場合、このように元の原稿のページ構成を再現することで、利用者はそれら２つのページ画像を容易に閲覧することができる。
【００１５】
また、記録シートの第１の面および第２の面に対してこの順にページ画像が配置された記録シートを排出する両面印刷モードが指定されている場合、上記レイアウト決定部は、上記面判定部により表の面の画像を示すと判定されたページ画像を記録シートの第１の面に配置し、上記面判定部により裏の面の画像を示すと判定されたページ画像を当該記録シートの第２の面に配置すると決定してもよい。
【００１６】
これにより、全てのページについて、元の原稿のページ構成を再現することができる。
【００１７】
また、記録シートの１つの面を偶数個の領域に分割し、各領域に対して予め設定された配置順序に従って各ページ画像が各領域に配置された記録シートを排出する複数画像集約印刷モードが指定されている場合、上記レイアウト決定部は、上記面判定部が、連続して配置される２つの上記ページ画像に対して、前のページ画像が裏の面の画像を示し、後のページ画像が表の面の画像を示すと判定したとき、当該前のページ画像を上記配置順序が奇数番目の領域に配置すると決定してもよい。
【００１８】
上記の構成によれば、元の原稿のページ構成を再現し、例えば、元の原稿において裏の面に形成されていたページ画像は記録シートの配置順序が奇数番目の領域に配置されることとなる。そして、このページ画像の次のページ画像は、当該奇数番目の領域の次の配置順序の領域に配置されることとなる。つまり、元の原稿において裏の面に形成されていたページ画像とその次のページ画像とが、配置順序が奇数番目の領域とその次の配置順序の領域との配置される。
【００１９】
ここで、ユーザは、通常、奇数番目の領域と、その次の偶数番目の領域とが隣り合うような配置順序を選択する。そのため、元の原稿において裏の面に形成されていたページ画像とその次のページ画像とが隣り合う２つの領域に配置されることとなる。その結果、適切な配置順序を設定することで、元の原稿において見開きの位置関係にあった２つのページ画像について、それを画像形成した記録シートにおいても見開きの位置関係にすることができる。見開きの位置関係にある２つのページ画像の内容が互いに関連している場合、このように元の原稿のページ構成を再現することで、利用者はそれら２つのページ画像を容易に閲覧することができる。
【００２０】
また、上記検出部は、上記ページ画像の所定の領域の中から所定形状のマーク候補を２つ抽出し、上記２つのマーク候補の間隔が、パンチ穴またはステープル穴の規定の間隔を含む所定範囲内である場合、上記マーク候補を上記マークとして検出してもよい。
【００２１】
上記の構成によれば、検出部がページ画像の中からパンチ穴跡またはステープル穴跡を検出する。パンチ穴跡またはステープル穴跡は、記録シートの表の面と裏の面とでは対称の位置にあるので（横綴じの文書では左右対称、縦綴じの文書では上下対称）、ページ画像の中のパンチ穴跡またはステープル穴跡の位置から、元の原稿のページのいずれの側が綴じられていたかを識別することができる。
【００２２】
本発明に係る画像処理装置は、原稿の表の面または裏の面の画像を示すページ画像を複数有する画像データを画像形成装置に出力して、上記画像データで示される複数のページ画像を所定の順序に配置して記録シートに形成させる画像処理装置であって、上記複数のページ画像は、上記原稿の表の面か裏の面かに応じて異なる位置に形成されるマーク、上記原稿の表の面か裏の面かに応じて形状が異なるマーク、または、上記原稿のいずれか一方の面にのみ形成されるマークを含んでおり、上記の課題を解決するために、上記複数のページ画像から上記マークを検出する検出部と、各ページ画像から検出された上記マークの位置、形状、または有無に基づき、当該ページ画像が上記原稿の表の面の画像を示すものか裏の面の画像を示すものであるかを判定する面判定部と、上記ページ画像に対する上記面判定部による判定結果に基づき、上記ページ画像を記録シートに形成する際のレイアウトを決定し、上記レイアウトにしたがって上記画像データを修正するレイアウト決定部とを備え、上記修正した画像データを上記画像形成装置に出力することを特徴としている。
【００２３】
上記の構成によれば、画像処理装置が、原稿の表の面か裏の面かに応じて異なる位置に形成されるマーク、または、上記原稿のいずれか一方の面にのみ形成されるマークをページ画像の中から検出し、ページ画像が、原稿におけるいずれの面に対応するものであるかを判定し、レイアウトを決定し、上記レイアウトにしたがって画像データを修正する。そして、上記画像処理装置は、修正した画像データを（有線または無線で）接続された画像形成装置に出力することにより、画像形成装置に画像形成を指示することができる。
【００２４】
よって、画像処理装置で画像データを修正することにより、一般的な従来の画像形成装置を用いて、元の原稿のページ構成を再現して記録シートに画像形成することができる。そのため、利用者の閲覧を容易にするよう各ページ画像をレイアウトすることができる。
【００２５】
なお、上記画像処理装置は、画像形成装置に含まれる構成としてもよい。
【００２６】
本発明に係る画像形成方法は、原稿の表の面または裏の面の画像を示すページ画像を複数有する画像データについて、上記画像データで示される複数のページ画像を所定の順序に配置して記録シートに形成する画像形成方法であって、上記複数のページ画像は、上記原稿の表の面か裏の面かに応じて異なる位置に形成されるマーク、上記原稿の表の面か裏の面かに応じて形状が異なるマーク、または、上記原稿のいずれか一方の面にのみ形成されるマークを含んでおり、上記の課題を解決するために、上記複数のページ画像から上記マークを検出する検出ステップと、各ページ画像から検出された上記マークの位置、形状、または有無に基づき、当該ページ画像が原稿の表の面の画像を示すものか裏の面の画像を示すものであるかを判定する面判定ステップと、上記ページ画像に対する上記面判定ステップにおける判定結果に基づき、上記ページ画像を記録シートに形成する際のレイアウトを決定するレイアウト決定ステップとを含み、決定した上記レイアウトにしたがって上記ページ画像を記録シートに形成することを特徴としている。
【００２７】
上記の構成によれば、本発明の画像形成装置と同じ効果を奏することができる。
【００２８】
なお、上記画像形成装置の検出部、面判定部、およびレイアウト決定部は、コンピュータによって実現してもよく、この場合には、コンピュータを上記各部として動作させることにより、上記各部をコンピュータにて実現させる画像形成装置または画像処理装置の制御プログラム、およびそれを記録したコンピュータ読み取り可能な記録媒体も、本発明の範疇に含まれる。
【発明の効果】
【００２９】
本発明によれば、画像データにおいて元の原稿のページが欠落している場合でも、元の原稿のページ構成を再現して記録シートに画像形成することができる。そのため、利用者の閲覧を容易にするよう各ページ画像をレイアウトすることができる。
【図面の簡単な説明】
【００３０】
【図１】本発明の実施の一形態に係るデジタル複合機の構成を示す内部構成図である。
【図２】上記デジタル複合機の制御部が備える機能ブロックを示すブロック図である。
【図３】（ａ）は、１枚の原稿の表の面をスキャナ等で読み取ることにより電子データ化した画像データの示すページ画像を示す図であり、（ｂ）は、該原稿の裏の面を読み取ることにより電子データ化した画像データの示すページ画像を示す図である。
【図４】上記デジタル複合機の穴跡検出部および表裏判定部が行うパンチ穴跡の検出処理およびページ画像の表裏判定処理を示すフローチャートである。
【図５】上記デジタル複合機の穴跡検出部および表裏判定部が行うステープル穴跡の検出処理およびページ画像の表裏判定処理を示すフローチャートである。
【図６】複数のページからなるオリジナルの原稿の各ページを示す図である。
【図７】両面印刷が指定されている場合に、上記デジタル複合機のレイアウト処理部が行うレイアウト処理を示すフローチャートである。
【図８】２ｉｎ１印刷が指定されている場合に、上記デジタル複合機のレイアウト処理部が行うレイアウト処理を示すフローチャートである。
【図９】電子文書の各ページ画像と、該電子文書を本発明の実施の一形態において２ｉｎ１印刷した場合の例とを示す図である。
【図１０】ページにインデックスおよびページ番号を有する原稿のページ画像を示す図であり、（ａ）は表の面（見開きの右側に位置する面）のページ画像を示す図であり、（ｂ）は裏の面（見開きの左側に位置する面）のページ画像を示す図である。
【図１１】プリンタと本発明の他の実施の形態のコンピュータデバイスとを示すブロック図である。
【図１２】電子文書の各ページ画像と、該電子文書を本実施の形態において中綴じ印刷した場合の例とを示す図である。
【図１３】元の原稿の表の面に対応するページと、裏の面に対応するページとで、形成されているマークの形状が異なる例を示す図である。
【発明を実施するための形態】
【００３１】
以下、本発明の実施の形態について、詳細に説明する。
【００３２】
［実施の形態１］
＜デジタル複合機の構成＞
図１は、本発明の実施の一形態に係るデジタル複合機１の構成を示す内部構成図である。デジタル複合機（画像形成装置）１は、画像形成ユニット２を核に、各々周辺機器である、スキャナ３、自動原稿搬送装置４、後処理装置５、記録材供給装置６、中継搬送ユニット８、および両面搬送装置１０が接続され、機能が拡張されている。このうち、画像形成ユニット２および後処理装置５は、記録材供給装置６の上面に並んで載置され、これらの上方にスキャナ３が、その上部に配置された自動原稿搬送装置４と共に、システムラック７上に支持されることで配置されている。
【００３３】
上記画像形成ユニット２は、スキャナ３にて読み込まれた画像の記録シート（記録用紙、ＯＨＰフィルム等の記録材）への記録出力はもとより、デジタル複合機１の外部接続機器としてパーソナルコンピュータ等の画像処理装置が接続されると、この外部接続機器からの画像データが示すページ画像を記録シートへ記録出力するものである。
【００３４】
画像形成ユニット２の略中央左側には、電子写真プロセス部２０が配置されている。電子写真プロセス部２０は、感光体２００、感光体２００表面を均一に帯電させる帯電ローラ２０１、均一に帯電された感光体２００上に光像を走査して静電潜像を書き込む光走査ユニット２２、光走査ユニット２２により書き込まれた静電潜像を現像剤により再現する現像ユニット２０２、感光体２００上に再現された画像を記録シート上に転写する転写ユニット２０３、転写後の感光体２００上に残留した現像剤を除去して感光体２００上に新たな画像を記録することを可能にするクリーニングユニット２０４、および感光体２００表面の電荷を除去する除電ランプユニット（不図示）などを備える。
【００３５】
画像形成ユニット２の下部、すなわち記録材供給装置６側の画像形成ユニット２内には、記録シートを収容可能な記録材供給部２１が配置されている。この記録材供給部２１は、記録シートを収容する記録材収容トレイ２１０と、記録材収容トレイ２１０に収容された記録シートを１枚ずつ分離給紙する分離供給手段２１１とで構成されている。この分離供給手段２１１にて１枚ずつ分離給紙された記録シートは、電子写真プロセス部２０の感光体２００と転写ユニット２０３との間に順次供給され、感光体２００上に記録再現されたトナー画像が転写される。なお、上記記録材供給部２１への記録シートの補給や記録シートの交換などの作業は、画像形成ユニット２本体の正面側に記録材収容トレイ２１０を引き出して行う。
【００３６】
画像形成ユニット２本体の下面には、オプション配置されている記録材供給装置６から送られてくる記録シートを受け入れ、電子写真プロセス部２０の感光体２００と転写ユニット２０３との間に向かって順次供給するための記録材受口２７が設けられている。
【００３７】
電子写真プロセス部２０の上方には定着装置２３が配置されており、画像が転写された記録シートを順次受け入れて、記録シート上に転写された現像剤を加熱定着して定着装置２３外へと記録シートを送り出す。画像が記録された記録シートは、画像形成ユニット２の排出ローラ２８から画像形成ユニット２本体の上面の中継搬送ユニット８に受け渡される。このように画像形成ユニット２の用紙搬送パス（記録材搬送路）６４は、下から上に向かって略縦型に構成されている。
【００３８】
画像形成ユニット２は、電子写真プロセス部２０の側方、つまり電子写真プロセス部２０に対して用紙搬送パス６４と略直行する方向に隣接する位置に、光走査ユニット２２を備える。
【００３９】
記録材供給装置６は、オプションにて付設された外付けの記録材供給装置であって、３つの記録材供給部６１・６２・６３を有している。記録材供給部６１・６２・６３では、記録材収容トレイ６１０・６２０・６３０に収容した記録シートを、各々に備えられた分離給送手段６１１・６２１・６３１によってそれぞれ１枚ずつ分離して、この記録材供給装置６上面に設けられ、画像形成ユニット２の記録材受口２７に連通している記録材排出口６５に向かって供給する。稼働時には、所望するサイズの記録シートを収容した記録材供給部６１・６２・６３が選択的に動作する。記録材供給部６１・６２・６３への記録シートの補給は、該ユニット本体の正面側に記録材収容トレイ６１０・６２０・６３０を引出すことで行われる。
【００４０】
また、記録材供給装置６は、上部に画像形成ユニット２と後処理装置５を載置するように構成されているが、この状態で移動してシステムラック７の間に固定して配置可能なように、下部に移動コロ６９および固定部６８を備えている。移動時には、固定部６８を回転させて上昇させておくことで固定部６８を床面から離間させ、固定時には、固定部６８を回転させて下降させることで固定部６８を床面に接触させて記録材供給装置６を固定する。
【００４１】
なお、図１では、記録材供給装置６が３つの記録材供給部６１・６２・６３を有する場合を例示しているが、これに限らず記録材供給装置６は少なくとも１つの記録材供給部を有しておればよい。
【００４２】
後処理装置５は、画像形成ユニット２、中継搬送ユニット８から排出される画像の記録された記録シートをこの後処理装置５の上部に設けられた搬入ローラ５０で導き入れて、記録シートに対して後処理を施すものである。
【００４３】
後処理としては、ステープル処理、パンチング処理、ソート処理等あるが、図１に例示している後処理装置５は、ステープル処理を行うものであり、後処理されたものは下段の排紙トレイ５９に、後処理されないものは上段の排紙トレイ５６に、切り換えゲート５２によって選択的に排出される。
【００４４】
スキャナ３は、自動原稿搬送装置４により自動的に供給されるシート状の原稿を１枚ずつ順次露光走査して原稿画像を読み取る自動読み取りモードと、ユーザのマニュアル操作によりセットされるブック状の原稿、または自動原稿搬送装置４による自動供給が不可能なシート状の原稿の原稿画像を読み取る手動読み取りモードとを備えている。そして、透明な原稿載置台３０上にセットされた原稿の原稿画像を、相互に所定の速度関係で原稿載置台３０に沿って移動する第１走査ユニット３１で露光走査して、ミラー３２や結像レンズ３３等の光学部品で導いて光電変換素子３４上に結像させることで、原稿画像を電気的信号に変換した上で出力するものである。
【００４５】
自動原稿搬送装置４は、原稿セットトレイ４０上に載置された原稿裏面を走査するＣＩＳユニット４３および表面を走査する第１走査ユニット３１を経由して走査後の原稿を原稿排出トレイ４２上に排出する原稿搬送手段４１を備えている。また、自動供給が不可能なシート状の原稿を原稿載置台３０上に載置して読み取り走査可能なように、自動原稿搬送装置４が装置リア側を支点にして上方に回動し、装置の手前側が開放するように構成されている。
【００４６】
中継搬送ユニット８は、画像形成ユニット２の頂部に設けられた排紙トレイ２９の上部に装着され、画像形成ユニット２の排紙ローラ２８から排出される画像が記録された記録シートを、画像形成ユニット２の下流側に位置する後処理装置５に向かって導入するための搬送ユニットである。
【００４７】
また、この中継搬送ユニット８の記録材搬送経路８４の途中で、記録シートを該ユニットの上面８２と後処理装置５の上面５４とで形成された排出トレイ９に導く別の記録材搬送経路８３が分岐している。２つの排出先は、搬送路の分岐部に配置されたゲート８１の切換により、変更可能になっている。
【００４８】
両面搬送装置１０は、画像形成ユニット２の側面に装着され、記録シートの両面に画像を形成する際に記録シートを反転させるための搬送装置である。表の面に画像が形成された記録シートを反転させる際には、排紙ローラ２８が記録シートを途中まで排出させた状態で停止し、逆転することにより記録シートを両面搬送装置１０側へ導く。この際、定着装置２３の後に設けられたゲート８５の切換により、記録シートが定着装置２３側へ戻らず両面搬送装置１０に進入することになる。両面搬送装置１０を通過した記録シートは、電子写真プロセス部２０の手前から再度用紙搬送パス６４に入って電子写真プロセス部２０等を通過することで裏の面に画像が形成される。これにより、表の面（第１の面）および裏の面（第２の面）に対してこの順に画像が配置された記録シートを排出する両面印刷モードを実行することができる。
【００４９】
このデジタル複合機１では、記録材供給装置６の上に画像形成ユニット２と後処理装置５とが並んで載置される構造であり、画像形成ユニット２本体の幅寸法をＬ１、後処理装置５本体の幅寸法をＬ２とすると、記録材供給装置６の幅寸法Ｌは、Ｌ１＋Ｌ２にほぼ等しくなるよう設計されている。
【００５０】
画像形成ユニット２は、光走査ユニット２２の上側に、制御部２４および画像生成部２５を備える。画像形成ユニット２は、光走査ユニット２２の下側に、電源ユニット２６を備える。電源ユニット２６は、制御部２４、画像生成部２５、ならびにデジタル複合機１の各ユニットおよび各装置に電源を供給する。
【００５１】
制御部２４は、デジタル複合機１の外部からの画像形成ジョブデータを受信し、デジタル複合機１の画像形成プロセスを制御する。画像形成ジョブデータは、記録シートサイズ、印刷枚数、片面両面印刷、および印刷レイアウト等の画像形成に関する条件の情報と、画像形成されるページ画像を表す画像データとを含む。画像データは単数または複数ページのページ画像（画像）を表すデータである。なお、複数ページのページ画像を表す場合、画像データは、予め設定された各ページ画像の順番を示す情報も含んでいる。すなわち、画像データは、所定順に並べられた複数のページ画像を有することとなる。制御部２４は、受信した画像形成ジョブデータに基づき、記録シートに画像形成するための印刷画像データを生成し、印刷画像データを画像生成部２５に入力する。なお、制御部２４は、複数ページのページ画像に対応する複数の印刷画像データを画像生成部２５に入力する場合、各ページ画像に対応する印刷画像データを予め設定された順番（所定順）に従って画像生成部２５に入力する。
【００５２】
また、制御部２４は、スキャナ３が読み取った原稿画像を受信し、画像データとして記憶部１０２に保存する。この際に、空白のページについては、そのページ画像を保存せずに省略してもよい。デジタル複合機１に設けられる指示入力パネル（図示せず）等により、利用者から記憶部１０２に保存されている画像データを印刷する指示を受け付けると、制御部２４は、利用者の指示に基づき記憶部１０２に保存されている画像データを用いて印刷画像データを生成して、印刷画像データを画像生成部２５に入力する。
【００５３】
画像生成部２５は、制御部２４から入力された印刷画像データに対して所定の画像処理を施し、光走査ユニット２２によって感光体２００上に画像（潜像）を形成する。ここで、所定の画像処理は、利用者の指定（画像形成ジョブデータの指定）に基づく明度調整またはコントラスト調整等を含む。
【００５４】
＜制御部の構成＞
図２は、制御部２４が備える機能ブロックを示すブロック図である。制御部２４は、インターフェース部１０１、記憶部１０２、装置制御部１０３、穴跡検出部（検出部）１０４、表裏判定部（面判定部）１０５、およびレイアウト処理部（レイアウト決定部）１０６を備える。
【００５５】
インターフェース部１０１は、デジタル複合機１に接続された外部のネットワークからの画像形成ジョブデータを受け取り、画像形成ジョブデータを記憶部１０２に保存する。
【００５６】
記憶部１０２は、ＨＤＤまたは／およびＲＡＭ等を含み、制御部２４が扱う各種データを記憶する。
【００５７】
装置制御部１０３は、デジタル複合機１の各ユニットおよび各装置の動作を制御する。例えば、装置制御部１０３は、記録材供給部２１、光走査ユニット２２、および電子写真プロセス部２０等を動作させ、記録シートに画像形成を行う。また、画像形成ジョブデータにより記録シートの両面へ画像形成するモード（両面印刷モード）が指定されている場合、さらに両面搬送装置１０を動作させ、記録シートの両面に画像形成を行う。また、装置制御部１０３は、必要に応じて周辺機器である、スキャナ３、自動原稿搬送装置４、後処理装置５、記録材供給装置６、および中継搬送ユニット８等を動作させる。
【００５８】
穴跡検出部１０４は、画像形成ジョブデータに含まれる画像データの各ページ画像のパンチ穴跡またはステープル穴跡を検出する。検出の詳しい処理方法は後述する。
【００５９】
表裏判定部１０５は、穴跡検出部１０４のパンチ穴跡またはステープル穴跡の検出結果に基づいて、ページ画像が原稿の表の面および裏の面のいずれに対応するかを判定する。判定の詳しい処理方法は後述する。
【００６０】
レイアウト処理部１０６は、表裏判定部１０５の判定結果に基づいて、記録シート上に形成する画像の配置、すなわちレイアウトを決定する。例えば、画像データが複数のページ画像を含み、両面印刷モードが指定されている場合、レイアウト処理部１０６は、画像データが示す各ページ画像について、記録シートのいずれの面に形成するかを決定する。
【００６１】
また、Ｎページ分のページ画像を１つの記録シートの１つの面に形成（Ｎｉｎ１印刷：縮小レイアウト印刷等と呼ばれる）する複数画像集約印刷モードが指定されている場合、レイアウト処理部１０６は、記録シートの各面に形成するページ画像のレイアウトを決定する。ここで、複数画像集約印刷モードは、記録シートの一つの面をＮ個（Ｎは偶数）の領域に分割し、各領域に対して予め定められた配置順序に従ってページ画像が各領域に配置された記録シートを排出するモードである。この配置順序は利用者によって設定される。
【００６２】
例えば、「２ｉｎ１印刷」が指定されていた場合、記録シートの１つの面を、当該記録シートの短辺に平行な分割線で２つの均等な領域に分割する。そして、ユーザにより設定された順番に従って、１ページ分のページ画像を適宜縮小して１つの領域に配置し、記録シートの１つの面に２ページ分のページ画像を形成する。また、「４ｉｎ１印刷」が指定されていた場合、記録シートの１つの面を、当該記録シートの短辺に平行な分割線で２つの均等な領域に分割し、さらに、当該２つの分割領域の各々を記録シートの長辺に平行な分割線で２つの均等な領域に分割する。そして、ユーザにより設定された順番（例えば、左上、右上、左下、右下の順）に従って、１ページ分のページ画像を適宜縮小して１つの領域に配置し、記録シートの１つの面に４ぺージ分のページ画像を形成する。
【００６３】
なお、Ｎｉｎ１印刷は、記録シートの片面だけに行うことも、記録シートの両面に行うこともできる。レイアウト処理部１０６は、決定したレイアウトに応じて記録シートに画像形成するために、記録シートの各ページに対応する印刷画像データを画像生成部２５に入力する。表裏判定部１０５の判定結果に基づくレイアウトの決定方法については後述する。
【００６４】
＜穴跡検出・表裏判定処理＞
次に、穴跡検出部１０４によるパンチ穴跡またはステープル穴跡の検出処理、および表裏判定部１０５によるページ画像の表裏の判定処理について説明する。
【００６５】
図３（ａ）は、１枚の原稿の表の面をスキャナ等で読み取ることにより電子データ化した画像データの示すページ画像を示す図である。図３（ｂ）は、該原稿の裏の面を読み取ることにより電子データ化した画像データの示すページ画像を示す図である。図３（ａ）、図３（ｂ）には、説明のため、パンチ穴跡およびステープル穴跡の両方がある例を示している。
【００６６】
図３（ａ）、図３（ｂ）から分かるように、通常、原稿をスキャナで読み取り生成したページ画像においては、パンチ穴は円状の輪郭を有する跡として残り、ステープル穴は点状の跡として残る。
【００６７】
左から読む原稿の場合、パンチ穴は、原稿の表の面においては左側の辺の近傍に設けられ（図３（ａ）参照）、原稿の裏の面においてはそれとは対称に右側の辺の近傍に設けられる（図３（ｂ）参照）。また、ステープル穴も同様に、通常は原稿の表の面においては左側の辺または左上隅の近傍に設けられ（図３（ａ）参照）、原稿の裏の面においてはそれとは対称に右側の辺または右上隅の近傍に設けられる（図３（ｂ）参照）。なお、以下では左から読む原稿について説明するが、右から読む原稿の場合、パンチ穴およびステープル穴を設ける位置は、左右が入れ替わる。
【００６８】
そのため、画像データが示すページ画像における、パンチ穴跡またはステープル穴跡の位置を検出し、その検出位置に基づいて画像データのページ画像が元の原稿の表裏のいずれの面に対応するものかを判定することができる。具体的には、穴跡検出部１０４は、パンチ穴跡またはステープル穴跡の位置と原稿の表裏との対応関係を示す表裏情報を予め記憶しておき、当該表裏情報に基づいて、ページ画像から検出されたパンチ穴跡またはステープル穴跡の位置に対応する原稿の面（表または裏の面）を特定する。そして、表裏判定部１０５は、当該ページ画像が特定した面の画像を示すものであると判定する。なお、ここでは、左から読む原稿を前提としているため、表裏情報は、パンチ穴跡またはステープル穴跡の位置「基準点よりも左」と元の原稿の面「表」とを対応付け、かつ、パンチ穴跡またはステープル穴跡の位置「基準点よりも右」と元の原稿の面「裏」とを対応付けている。
【００６９】
図４は、穴跡検出部１０４および表裏判定部１０５が行うパンチ穴跡の検出処理およびページ画像の表裏判定処理を示すフローチャートである。穴跡検出部１０４は、画像データが示す各ページ画像の四辺の近傍の所定の領域（図３（ａ）および図３（ｂ）に破線で示す外側の領域８２）を解析し、円状の跡（マーク）を検出する（Ｓ１）。円状の跡の検出は、円状の輪郭を有する図形をパターンマッチングにより検出してもよいし、他の方法を用いてもよい。また、円状の輪郭は部分的に欠けていても検出するようにしてもよい。なお、解析する所定の領域は、利用者がデジタル複合機に印刷指示を行うときに利用者が指定してもよい。
【００７０】
次に、検出された円状の跡が２つ以上ある場合（Ｓ２でＹＥＳ）、該円状の跡の中にパンチ穴跡に一致する跡があるか否かを判定する。パンチ穴は所定のサイズに規格化されており、パンチ穴の直径は６ｍｍ、パンチ穴の中心の間隔は８０ｍｍである。穴跡検出部１０４は、画像形成ジョブデータに含まれる記録シートのサイズの情報から、該画像データが示すページ画像の寸法を決定することができ、検出された円状の跡のサイズを判定することができる。そして、穴跡検出部１０４は、検出された円状の跡のサイズが（６−α１）ｍｍから（６＋α２）ｍｍの範囲（つまり、６ｍｍを含む所定範囲）内であるか否かを判定する。なお、α１、α２は予め設定された値である。検出された円状の跡のサイズが当該範囲内である場合、穴跡検出部１０４は、直径が約６ｍｍの円状の跡が２つ以上存在すると判断する。
【００７１】
また、例えばＰＤＦ（Portable Document Format）ファイル等は、各ページ毎のサイズ情報（Ａ４、Ａ３等）を有しているので、画像形成ジョブデータに各ページのサイズ情報を付加することができる。これにより、電子文書が縮小または拡大して印刷される場合でも、元の原稿における円状の跡のサイズを正確に判定することができる。また、例えばページ毎のサイズ情報を有していない電子文書を印刷する場合でも、ページ画像中の円状の跡のサイズを印刷する記録シート上でのサイズに換算し、パンチ穴の規定のサイズであるか否かを判定することができる。
【００７２】
直径が約６ｍｍの円状の跡が２つ以上ある場合（Ｓ３でＹＥＳ）、穴跡検出部１０４は、それらの跡の間隔を求める。そして、穴跡検出部１０４は、検出された跡の間隔が（８０−β１）ｍｍから（８０＋β２）ｍｍの範囲（つまり、８０ｍｍを含む所定範囲）内であるか否かを判定する。なお、β１、β２は予め設定された値である。検出された跡の間隔が当該範囲内である場合、穴跡検出部１０４は、間隔が約８０ｍｍである２つの円状の跡が存在すると判断する。
【００７３】
間隔が約８０ｍｍである２つの円状の跡がある場合（Ｓ４でＹＥＳ）、穴跡検出部１０４は、該当する２つの円状の跡をパンチ穴跡と判定する（Ｓ５）。
【００７４】
続いて表裏判定部１０５は、ページ画像の略中央に基準点を設定し（図３（ａ）、図３（ｂ）参照）、パンチ穴跡と判定された円状の跡の全てについて、各円状の跡が存在する位置が基準点より左側であるか右側であるかを判定する（Ｓ６）。
【００７５】
ページ画像に、左側と判定された円状の跡および右側と判定された円状の跡の両方が存在する場合（Ｓ７でＹＥＳ）、表裏判定部１０５は、ページ画像の表裏は不明、すなわちページ画像が元の原稿の表の面に対応するのか裏の面に対応するのか不明であると判定する（Ｓ８）。
【００７６】
ページ画像に、左側と判定された円状の跡のみが存在する場合（Ｓ７でＮＯ、かつ、Ｓ９でＹＥＳ）、表裏判定部１０５は、上記の表裏情報に基づいて、ページ画像は元の原稿の表の面に対応すると判定する（Ｓ１０）。
【００７７】
ページ画像に、右側と判定された円状の跡のみが存在する場合（Ｓ７でＮＯ、かつ、Ｓ９でＮＯ）、表裏判定部１０５は、上記の表裏情報に基づいて、ページ画像は元の原稿の裏の面に対応すると判定する（Ｓ１１）。
【００７８】
なお、検出された円状の跡が２つ以上ない場合（Ｓ２でＮＯ）、直径が約６ｍｍの円状の跡が２つ以上ない場合（Ｓ３でＮＯ）、および、間隔が約８０ｍｍである２つの円状の跡がない場合（Ｓ４でＮＯ）のいずれの場合においても、表裏判定部１０５は、ページ画像の表裏は不明であると判定する（Ｓ８）。
【００７９】
図５は、穴跡検出部１０４および表裏判定部１０５が行うステープル穴跡の検出処理およびページ画像の表裏判定処理を示すフローチャートである。穴跡検出部１０４は、画像データが示す各ページ画像の四辺の近傍の所定の領域（図３（ａ）および図３（ｂ）に破線で示す外側の領域８２）を解析し、点状の跡（マーク）を検出する（Ｓ２１）。点状の跡の検出は、パターンマッチングにより検出してもよいし、他の方法を用いてもよい。
【００８０】
次に、検出された点状の跡が２つ以上ある場合（Ｓ２２でＹＥＳ）、穴跡検出部１０４は、それらの跡の間隔を判定する。ステープルの針は所定のサイズに規格化されており、ステープル穴の間隔は１１．５ｍｍ（３号針）または８．４ｍｍ（１０号針）等である。穴跡検出部１０４は、画像形成ジョブデータに含まれる記録シートのサイズの情報から、該画像データが示すページ画像の寸法を決定することができ、検出された点状の跡の間隔を判定することができる。具体的には、穴跡検出部１０４は、検出された２つの点状の跡の間隔が、１１．５ｍｍを含む所定範囲または８．４ｍｍを含む所定範囲内である否かを判定する。検出された跡の間隔が当該範囲内である場合、穴跡検出部１０４は、間隔が約１１．５ｍｍまたは約８．４ｍｍである２つの点状の跡が存在すると判断する。
【００８１】
間隔が約１１．５ｍｍまたは約８．４ｍｍである２つの点状の跡がある場合（Ｓ２３でＹＥＳ）、穴跡検出部１０４は、該当する２つの点状の跡をステープル穴跡と判定する（Ｓ２４）。
【００８２】
続いて表裏判定部１０５は、ページ画像の略中央に基準点を設定し（図３（ａ）、図３（ｂ）参照）、ステープル穴跡と判定した点状の跡の全てについて、各点状の跡が存在する位置が基準点より左側であるか右側であるかを判定する。
【００８３】
ページ画像に、左側と判定された点状の跡および右側と判定された点状の跡の両方が存在する場合（Ｓ２６でＹＥＳ）、表裏判定部１０５は、ページ画像の表裏は不明、すなわちページ画像が元の原稿の表の面に対応するのか裏の面に対応するのか不明であると判定する（Ｓ２７）。
【００８４】
ページ画像に、左側と判定された点状の跡のみが存在する場合（Ｓ２６でＮＯ、かつ、Ｓ２８でＹＥＳ）、表裏判定部１０５は、ページ画像は元の原稿の表の面に対応すると判定する（Ｓ２９）。
【００８５】
ページ画像に、右側と判定された点状の跡のみが存在する場合（Ｓ２６でＮＯ、かつ、Ｓ２８でＮＯ）、表裏判定部１０５は、ページ画像は元の原稿の裏の面に対応すると判定する（Ｓ３０）。
【００８６】
なお、検出された点状の跡が２つ以上ない場合（Ｓ２２でＮＯ）、および、間隔が約１１．５ｍｍまたは約８．４ｍｍである２つの点状の跡がない場合（Ｓ２３でＮＯ）のいずれの場合においても、表裏判定部１０５は、ページ画像の表裏は不明であると判定する（Ｓ２７）。
【００８７】
以上のようにして、穴跡検出部１０４は、ページ画像に残るパンチ穴跡またはステープル穴跡を検出し、表裏判定部１０５は、穴跡の位置からページ画像が原稿の表の面に対応するものであるか、裏の面に対応するものであるかを判定することができる。
【００８８】
なお、穴跡検出部１０４は、画像データが示す各ページ画像の左右の辺の近傍の所定の領域を解析して、円状の（または点状の）跡を検出する構成としてもよい。また、いずれか１つの辺の近傍の所定の領域のみを解析する構成としてもよい。
【００８９】
＜レイアウト処理＞
次に、レイアウト処理部１０６による記録シート上に形成する画像のレイアウト処理について説明する。
【００９０】
図６は、複数のページからなるオリジナルの原稿の各ページを示す図である。原稿の１ページ目は１枚目の用紙の表の面に当たり、２ページ目は１枚目の用紙の裏の面に当たる。また、原稿の３ページ目は２枚目の用紙の表の面に当たり、４ページ目は２枚目の用紙の裏の面に当たり、５ページ目は３枚目の用紙の表の面に当たり、６ページ目は３枚目の用紙の裏の面に当たる。この原稿は、表の面の左側の辺の近傍にパンチ穴が形成されている。原稿がバインダー等に綴じられていた場合、例えば４ページ目と５ページ目は見開きで参照することが可能であり、利用者は４ページ目と５ページ目とに描かれている回路図を同時に並べて閲覧することが可能である。また、２ページ目は白紙のページである。
【００９１】
この原稿をスキャナ等で読み取りＰＤＦ等の電子文書にする場合、白紙の２ページ目は省略されることがある。その結果、電子文書にはオリジナル原稿の２ページ目が含まれず、例えばオリジナル原稿の３ページ目が、電子文書の２ページ目になる。
【００９２】
このような電子文書を従来通りに記録シートに両面印刷する場合、オリジナル原稿の２ページ目が欠落しているので、オリジナル原稿とページ構成が変わってしまう。すなわち、記録シートの１枚目の表の面にオリジナル原稿の１ページ目の画像が形成され、１枚目の裏の面にオリジナル原稿の３ページ目の画像が形成され、２枚目の表の面にオリジナル原稿の４ページ目の画像が形成され、２枚目の裏の面にオリジナル原稿の５ページ目の画像が形成される。ここで、互いに関連する回路図を描いたオリジナル原稿の４ページ目の画像と５ページ目の画像とは、１つの記録シートの表と裏とにそれぞれ印刷される。そのため、オリジナル原稿においては閲覧しやすいページ構成になるよう配慮されていたとしても、一旦電子データ化した電子文書を従来通りに記録シートに両面印刷した場合、利用者にとって閲覧しづらいページ構成になり得る。
【００９３】
そこで、レイアウト処理部１０６は、両面印刷モードが指定されている場合、表裏判定部１０５の判定結果に応じて、電子文書の各ページ画像を印刷する記録シートの面（表または裏）を決定する。
【００９４】
図７は、両面印刷が指定されている場合にレイアウト処理部１０６が行うレイアウト処理を示すフローチャートである。通常、記録シート自体に表裏の区別はないが、便宜的に、画像形成ユニット２によって先に画像が形成される面を表の面、両面搬送装置１０を経た後で画像が形成される面を裏の面とする。
【００９５】
表裏判定部１０５により、ページ画像が元の原稿の表の面に対応すると判定された場合（Ｓ４１でＹＥＳ）、レイアウト処理部１０６は、当該ページ画像を記録シートの表の面に配置する（Ｓ４２）。もし前のページ画像が記録シートの表の面に配置されたのならば、該記録シートの裏の面は白紙のまま、当該ページ画像は次の記録シートの表の面に配置される。前のページ画像が記録シートの裏の面に配置されたのならば、当該ページ画像は次の記録シートの表の面に配置される。
【００９６】
表裏判定部１０５により、ページ画像が元の原稿の裏の面に対応すると判定された場合（Ｓ４１でＮＯ、かつ、Ｓ４３でＹＥＳ）、レイアウト処理部１０６は、当該ページ画像を記録シートの裏の面に配置する（Ｓ４４）。もし前のページ画像が記録シートの表の面に配置されたのならば、当該ページ画像は同じ記録シートの裏の面に配置される。前のページ画像が記録シートの裏の面に配置されたのならば、次の記録シートの表の面は白紙のまま、当該ページ画像は上記次の記録シートの裏の面に配置される。
【００９７】
表裏判定部１０５により、ページ画像が元の原稿の表の面に対応するのか裏の面に対応するのか不明であると判定された場合（Ｓ４１でＮＯ、かつ、Ｓ４３でＮＯ）、レイアウト処理部１０６は、通常通りに、当該ページ画像を前のページ画像に連続するよう配置する（Ｓ４５）。すなわち、前のページ画像が記録シートの表の面に配置されたのならば当該ページ画像は同じ記録シートの裏の面に配置され、前のページ画像が記録シートの裏の面に配置されたのならば当該ページ画像は次の記録シートの表の面に配置される。
【００９８】
印刷対象の全てのページ画像について上記Ｓ４１〜Ｓ４５の配置処理が完了していない場合（Ｓ４６でＮＯ）、レイアウト処理部１０６は、処理が完了していない残りのページ画像についてＳ４１〜Ｓ４５の配置処理を繰り返す。
【００９９】
印刷対象の全てのページ画像について上記Ｓ４１〜Ｓ４５の配置処理が完了した場合（Ｓ４６でＹＥＳ）、レイアウト処理部１０６は、決定した配置（レイアウト）に応じて記録シートに画像形成するために、印刷画像データとその配置に関するレイアウト情報とを画像生成部２５に入力する（Ｓ４７）。また、レイアウト処理部１０６は、レイアウト情報を装置制御部１０３にも入力する。なお装置制御部１０３は、レイアウト情報に含まれる配置の情報（例えば、いずれの記録シートのいずれの面に印刷するかの情報）に応じて両面印刷を行う。
【０１００】
画像生成部２５および装置制御部１０３は、レイアウト処理部１０６から入力された印刷画像データとレイアウト情報とに基づき、印刷画像データと記録シートの表裏いずれかの面とを対応付けて印刷処理を行う。これにより、表裏判定部１０５が、連続する２つのページ画像に対して、前のページ画像が元の原稿の裏の面の画像に対応し、後のページ画像が元の原稿の表の面の画像に対応すると判定したとき、レイアウト処理部１０６は、当該前のページ画像を記録シートの裏の面に形成し、当該後のページ画像を次の記録シートの表の面に配置することとなる。そのため、あるページが欠落した電子文書を記録シートに印刷する場合であっても、オリジナル原稿において、見開きの左右に連続したページにまたがって記載された回路図、地図、またはその他の画像は、連続する２枚の記録シートの先の記録シートの裏の面と、後の記録シートの表の面とに印刷されることとなる。そのため、この２枚の記録シートの表の面における左側を綴じたとき、オリジナル原稿と同様に、見開きの左右に連続したページにまたがって記載された回路図、地図、またはその他の画像を示すこととなる。このように、オリジナル原稿において、見開きの左右に連続したページにまたがって記載された回路図、地図、またはその他の画像を、オリジナル原稿と同様のページ構成で印刷することができるので、利用者の閲覧を容易にすることができる。
【０１０１】
また、上記のフローに従えば、ページが欠落した電子文書を記録シートに印刷する場合であっても、全てのページにおいて、オリジナル原稿のページ構成（表裏）を再現して印刷することができる。そのため、利用者が閲覧しやすいページ構成で電子文書を印刷することができる。これにより、例えば、紙の事務ファイルまたは病院のカルテ等に、両面印刷のページと片面印刷のページとが混じっており、これらの原稿の印刷された面だけを電子化した場合（すなわち片面印刷の裏の面は電子化されない場合）でも、元の原稿のページ構成を再現して印刷することが可能になる。
【０１０２】
なお、上記の例では、ページ画像が元の原稿の表の面に対応するのか裏の面に対応するのか不明であると判定された場合は、当該ページ画像を前のページ画像に連続するように配置する構成としたが、対応する面が不明である当該ページ画像を表（または裏）の面として扱う構成とすることもできる。すなわちこの場合、パンチ穴跡等が検出されないページ画像は表（または裏）の面として扱われる。
【０１０３】
また、レイアウト処理部１０６は、Ｓ４２において、もし対象となるページ画像の前のページ画像が元の原稿の表の面に対応すると判定されている場合、Ｓ４５と同様に、対象となるページ画像を前のページ画像に連続するように配置するように決定してもよい。さらに、レイアウト処理部１０６は、Ｓ４４において、もし対象となるページ画像の後のページ画像が元の原稿の裏の面に対応すると判定されている場合、Ｓ４５と同様に、対象となるページ画像を前のページ画像に連続するように配置するように決定してもよい。つまり、元の原稿の表の面に対応すると判定されたページ画像が連続する場合、もしくは、元の原稿の裏の面に対応すると判定されたページ画像が連続する場合、対象となるページ画像を前のページ画像に連続するように配置する。元の原稿の表の面または裏の面が連続する場合、これら連続する画像は、元の原稿において見開きの左右のページに配置されるものではなく、単独で配置されても読み難さを生じさせる可能性が低い。そのため、このように構成することで、記録シートの両面を無駄なく活用することができる。
【０１０４】
なお、この場合であっても、表裏判定部１０５が、連続する２つの上記ページ画像に対して、前のページ画像が裏の面の画像を示し、後のページ画像が表の面の画像を示すと判定したとき、レイアウト処理部１０６は、Ｓ４４において、当該前のページ画像を記録シートの裏の面に形成し、Ｓ４２において、当該後のページ画像を次の記録シートの表の面に配置することとなる。その結果、オリジナル原稿において、見開きの左右に連続したページにまたがって記載された回路図、地図、またはその他の画像を、オリジナル原稿と同様のページ構成で印刷することができる。
【０１０５】
図８は、２ｉｎ１印刷が指定されている場合にレイアウト処理部１０６が行うレイアウト処理を示すフローチャートである。ここでは、記録シートの片面に２ｉｎ１印刷を行う場合について説明する。元の原稿が左から読む原稿であり、２ｉｎ１印刷を指定する場合、ユーザは、通常、１つの記録シート（Ａ４横）を左右に分割した左側の領域、右側の領域にの順に、連続した２つのページ画像（Ａ４縦）を配置する配置順序を選択することとなる。そのため、ここでは、２ｉｎ１の配置順序として、左側の領域を１番目、右側の領域を２番目とする配置順序が設定されたものとして説明する。
【０１０６】
表裏判定部１０５により、ページ画像が元の原稿の裏の面に対応すると判定された場合（Ｓ６１でＹＥＳ）、レイアウト処理部１０６は、当該ページ画像を適宜縮小し、記録シートにおける配置順序が１番目の左側の領域に配置する（Ｓ６２）。もし前のページ画像が記録シートの左側の領域に配置されたのならば、該記録シートの右側の領域は空白のまま、縮小された当該ページ画像は次の記録シートにおける配置順序が１番目の左側の領域に配置される。前のページ画像が記録シートの右側の領域に配置されたのならば、縮小された当該ページ画像は次の記録シートの左側の領域に配置される。
【０１０７】
表裏判定部１０５により、ページ画像が元の原稿の表の面に対応すると判定、または、ページ画像が元の原稿の表の面に対応するのか裏の面に対応するのか不明であると判定された場合（Ｓ６１でＮＯ）、レイアウト処理部１０６は、通常通りに、当該ページ画像を適宜縮小し前のページ画像に連続するよう配置する（Ｓ６３）。すなわち、前のページ画像が記録シートの左側の領域に配置されたのならば縮小された当該ページ画像は同じ記録シートの右側の領域に配置され、前のページ画像が記録シートの右側の領域に配置されたのならば縮小された当該ページ画像は次の記録シートの左側の領域に配置される。
【０１０８】
印刷対象の全てのページ画像について上記Ｓ６１〜Ｓ６３の配置処理が完了していない場合（Ｓ６４でＮＯ）、レイアウト処理部１０６は、処理が完了していない残りのページ画像についてＳ６１〜Ｓ６３の配置処理を繰り返す。
【０１０９】
印刷対象の全てのページ画像について上記Ｓ６１〜Ｓ６３の判定が完了した場合（Ｓ６４でＹＥＳ）、レイアウト処理部１０６は、決定した配置（レイアウト）に応じて記録シートに画像形成するために、各ページ画像を縮小して配置した後の記録シートの各ページに対応する印刷画像データを画像生成部２５に入力する（Ｓ６５）。また、レイアウト処理部１０６は、レイアウト情報を装置制御部１０３にも入力する。なお装置制御部１０３は、レイアウト情報に含まれる配置の情報（例えば、結局何枚の記録シートに印刷するかの情報）に応じて印刷を行う。
【０１１０】
図９は、電子文書の各ページ画像と、該電子文書を本実施の形態において２ｉｎ１印刷した場合の例とを示す図である。
【０１１１】
図９の上部に示すように電子文書の各ページ画像にはパンチ穴跡がある。ページ画像の左側にパンチ穴跡がある電子文書の１ページ目〜３ページ目、および５ページ目は、オリジナル原稿の表の面に対応するものであると分かる。一方、電子文書の４ページ目は、ページ画像の右側にパンチ穴跡があり、オリジナル原稿の裏の面に対応するものであると分かる。
【０１１２】
本実施の形態のデジタル複合機１によって、上記図８のフローチャートにしたがって該電子文書を２ｉｎ１印刷した場合、図９の下部に示すように、１枚目の記録シートの左側に電子文書の１ページ目、１枚目の記録シートの右側に電子文書の２ページ目、２枚目の記録シートの左側に電子文書の３ページ目、３枚目の記録シートの左側に電子文書の４ページ目、３枚目の記録シートの右側に電子文書の５ページ目が印刷される。２枚目の記録シートの右側は空白のままであり、あたかも白紙のページが挿入されたようになっている。オリジナル原稿では見開きの位置にあったであろう電子文書の４ページ目（裏の面に対応）と５ページ目（表の面に対応）とは、１枚の記録シート（３枚目）に並べて印刷されており、利用者は見開きのように並べて閲覧することができる。すなわち、電子文書の４ページ目（裏の面に対応）と５ページ目（表の面に対応）が互いに関連する図を描いたページである場合でも、利用者の利便性は損なわれない。
【０１１３】
図１２は、電子文書の各ページ画像と、該電子文書を本実施の形態において中綴じ印刷した場合の例とを示す図である。中綴じ印刷とは、複数のページ画像について２ｉｎ１印刷と両面印刷を同時に行い、かつ、印刷後の記録シートを重ねて中央で半分に折り曲げ、中央部分をステープル等で綴じたときにページ画像が所定順に並ぶように、ページ画像の配置順を変更して印刷する方法である。
【０１１４】
図１２に示すように、１ページ目のページ画像が表の面、２ページ目のページ画像が表の面、３ページ目のページ画像が裏の面、４ページ目のページ画像が表の面、５ページ目のページ画像が裏の面、６ページ目のページ画像が表の面、７ページ目のページ画像が裏の面である電子文書を印刷する例を以下に説明する。レイアウト処理部１０６は、表の面が連続する１ページ目のページ画像と２ページ目のページ画像との間に、白紙のページ画像を挿入する。白紙のページ画像を挿入した後の印刷べきページ数は８ページである。
【０１１５】
なお、この例では、デジタル複合機１は、複数の記録シートに両面印刷する場合、１枚目の記録シートの表の面、２枚目の記録シートの表の面、１枚目の記録シートの裏の面、２枚目の記録シートの裏の面という順序で印刷する。
【０１１６】
この場合、中綴じ印刷においては、白紙のページ画像を挿入した後のページ画像を以下の順序で配置する。すなわち、１枚目の記録シートの左側に８ページ目のページ画像（元の電子文書における７ページ目）、１枚目の記録シートの右側に１ページ目のページ画像（元の電子文書における１ページ目）、２枚目の記録シートの左側に６ページ目のページ画像（元の電子文書における５ページ目）、２枚目の記録シートの右側に３ページ目のページ画像（元の電子文書における２ページ目）、３枚目の記録シートの左側に２ページ目のページ画像（挿入された白紙のページ画像）、３枚目の記録シートの右側に７ページ目のページ画像（元の電子文書における６ページ目）、４枚目の記録シートの左側に４ページ目のページ画像（元の電子文書における３ページ目）、４枚目の記録シートの右側に５ページ目のページ画像（元の電子文書における４ページ目）、の順に配置する。
【０１１７】
このように配置することで、印刷後の記録シートを重ねて中央で半分に折り曲げたときに、各ページが順番に並ぶ。また、白紙ページを挿入することで、例えば、元の電子文書における３ページ目（裏）と４ページ目（表）とが見開きの位置に配置される。このように、電子文書におけるページ画像の順序と、画像形成時の配置順序は異なっている場合もある。
【０１１８】
なお、上記の例ではオリジナル原稿が横綴じの場合（ページの左右が綴じられている場合）について説明したが、縦綴じの場合（ページの上下が綴じられている場合）でも同様の処理を行うことができる。縦綴じの場合、パンチ穴跡またはステープル穴跡がページ画像の上辺にあるか下辺にあるかによって、元の原稿の表の面に対応するのか裏の面に対応するのかを判定する。
【０１１９】
＜他の表裏判定方法＞
以下では、パンチ穴跡またはステープル穴跡以外を利用した表裏判定方法を説明する。
【０１２０】
図１０は、ページにインデックスおよびページ番号を有する原稿のページ画像を示す図である。図１０（ａ）は表の面（見開きの右側に位置する面：左側が綴じられる）のページ画像を示し、図１０（ｂ）は裏の面（見開きの左側に位置する面：右側が綴じられる）のページ画像を示している。
【０１２１】
この原稿は、見開きの右側のページ（表の面）の右側端部に、章を表すインデックスが設けられている。このようなインデックスは、例えば電話帳および製品説明書等において多く設けられている。そして、インデックスは、文書を閉じた状態で利用者に認識できるように、通常、ページの外側（綴じられる位置とは逆側）の端部に周囲の色とは異なる色で着色された領域を有する。
【０１２２】
すなわち、穴跡検出部１０４は、穴跡の代わりに、ページ画像の左右の辺の近傍の所定の領域（破線で示す外側の領域）８０を解析しインデックスを検出してもよい。インデックスの検出はパターンマッチング、またはコントラストの変化の検出等により行ってもよいし、他の方法で行ってもよい。インデックスの検出方法は、例えば、特許文献３、４に開示されている。
【０１２３】
表裏判定部１０５は、インデックスがページ画像の右側に検出された場合、当該ページ画像は元の原稿の表の面に対応するものであると判定する。また、インデックスがページ画像の左側に検出された場合、表裏判定部１０５は、当該ページ画像は元の原稿の裏の面に対応するものであると判定する。また、原稿の一方のページ、例えば見開きの右側のページだけにインデックスが設けられている場合もある（図１０（ｂ）参照）。そのため、ページ画像にインデックスが検出されなかった場合、表裏判定部１０５は、当該ページ画像は元の原稿の裏の面に対応するものであると判定してもよい。
【０１２４】
また、表裏判定部１０５は、ページ番号の位置からページ画像の表裏を判定してもよい。ページ番号は、多くの場合、ページの外側（綴じられる位置とは逆側）の下部または上部に設けられている。
【０１２５】
すなわち、穴跡検出部１０４は、穴跡の代わりに、ページ画像の上下の辺の近傍の所定の領域（破線で示す外側の領域）８１を解析しページ番号を検出してもよい。ページ番号の検出は従来の光学文字認識（ＯＣＲ：Optical Character Recognition）技術を用いて行ってもよいし、他の方法で行ってもよい。ページ番号の検出方法は、例えば、特許文献５〜７に開示されている。
【０１２６】
表裏判定部１０５の処理は、インデックスを検出する場合と同様である。
【０１２７】
ページ画像に含まれるインデックスまたはページ番号から、対応する元の原稿のページが綴じられていた側を特定することができるので、インデックスおよびページ番号は、パンチ穴跡およびステープル穴跡と同様に、元の原稿において対応するページが綴じられていた側を示すマークということができる。本実施の形態では、特定の条件を満たす画像であるマークの位置または有無に基づき、表裏判定部１０５が、ページ画像が元の原稿の表の面の画像を示すものか裏の面の画像を示すものであるかを判定する。
【０１２８】
図１３は、元の原稿の表の面に対応するページと、裏の面に対応するページとで、形成されているマークの形状が異なる例を示す図である。このように、表の面と裏の面とで所定の位置に形成されているマークの形状（パターン）が異なる場合は、それぞれのマークの形状を識別する（または、一方の形状のマーク（例えば、表の面にのみ形成されている黒い四角のパターンにマッチするマーク）のみを検出する）ことにより、表裏を識別することが可能である。
【０１２９】
＜その他の変形例＞
上記の説明では、左から読む原稿の場合を例を述べた。しかしながら、原稿には、左から読む原稿もあれば、右から読む原稿もある。そのため、制御部２４は、ユーザから、元の原稿が右から読む原稿であるのか左から読む原稿であるのかを示す原稿方向情報の入力を受け付けてもよい。そして、穴跡検出部１０４およびレイアウト処理部１０６は、入力された原稿方向情報に応じた処理を実行してもよい。
【０１３０】
上述したように、右から読む原稿の場合、パンチ穴およびステープル穴を設ける位置は、左から読む原稿と比較して、左右が入れ替わることになる。
【０１３１】
そこで、穴跡検出部１０４は、パンチ穴跡またはステープル穴跡の位置と原稿の表裏との対応関係を示す表裏情報として、左から読む原稿用の第１表裏情報と、右から読む原稿用の第２表裏情報とを予め記憶しておけばよい。ここで、第１表裏情報とは、上述した表裏情報と同じであり、パンチ穴跡またはステープル穴跡の位置「基準点よりも左」と表の面とを対応付け、かつ、パンチ穴跡またはステープル穴跡の位置「基準点よりも右」と裏の面とを対応付けている。一方、第２表裏情報は、パンチ穴跡またはステープル穴跡の位置「基準点よりも左」と元の原稿の面「裏」とを対応付け、かつ、パンチ穴跡またはステープル穴跡の位置「基準点よりも右」と元の原稿の面「表」とを対応付けている。
【０１３２】
そして、穴跡検出部１０４は、入力された原稿方向情報が左から読む原稿を示している場合に第１表裏情報を選択し、入力された原稿方向情報が右から読む原稿を示している場合に第２表裏情報を選択し、選択した表裏情報に基づいて、ページ画像が元の原稿の表裏のいずれの面に対応するものかを判定すればよい。
【０１３３】
なお、両面印刷モードが選択されている場合、レイアウト処理部１０６は、入力された原稿方向情報に拘わらず、図７に示した処理を実行すればよい。これにより、表裏判定部１０５が、連続する２つの上記ページ画像に対して、前のページ画像が裏の面の画像を示し、後のページ画像が表の面の画像を示すと判定したとき、レイアウト処理部１０６は、当該前のページ画像を記録シートの裏の面に形成し、当該後のページ画像を次の記録シートの表の面に配置することとなる。その結果、オリジナル原稿において、見開きの左右に連続したページにまたがって記載された回路図、地図、またはその他の画像を、オリジナル原稿と同様のページ構成で印刷することができる。
【０１３４】
一方、複数画像集約印刷モード（Ｎｉｎ１印刷）が選択された場合でも、レイアウト処理部１０６は、入力された原稿方向情報に拘わらず、図８に示した処理を実行すればよい。ただし、表裏判定部１０５により、ページ画像が元の原稿の裏の面に対応すると判定された場合（Ｓ６１でＹＥＳ）、レイアウト処理部１０６は、Ｓ６２において、当該ページ画像を適宜縮小し、記録シートにおける配置順序が奇数番目の領域に配置すればよい。
【０１３５】
Ｎｉｎ１印刷（例えば、２ｉｎ１印刷）を行う場合、元の原稿が左から読む原稿であるか右から読む原稿であるかに応じて、ユーザは、通常、記録シートの分割された偶数個の領域の配置順序を選択することとなる。例えば、ユーザは、元の原稿が左から読む原稿であり、２ｉｎ１印刷を選択する場合、１つの記録シート（Ａ４横）を左右に分割した左側の領域を１番目、右側の領域を２番目とする配置順序を選択する。また、ユーザは、元の原稿が左から読む原稿であり、４ｉｎ１印刷を選択する場合、１つの記録シート（Ａ４横）を分割した左上の領域を１番目、右上の領域を２番目、左下の領域を３番目、右下の領域を４番目とする配置順序を選択する。また、ユーザは、元の原稿が右から読む原稿であり、２ｉｎ１印刷を選択する場合、１つの記録シート（Ａ４横）を左右に分割した右側の領域を１番目、左側の領域を２番目とする配置順序を選択する。また、ユーザは、元の原稿が右から読む原稿であり、４ｉｎ１印刷を選択する場合、１つの記録シート（Ａ４横）を分割した右上の領域を１番目、左上の領域を２番目、右下の領域を３番目、左下の領域を４番目とする配置順序を選択する。
【０１３６】
そのため、Ｓ６２において、元の原稿の裏の面に対応すると判定されたページ画像を、記録シートにおける配置順序が奇数番目の領域に配置することにより、元の原稿が左から読む原稿である場合、当該裏の面に対応するページ画像が左側の領域に配置される。そして、次のページ画像が元の原稿の表の面に対応する場合、当該ページ画像がその隣の右側の領域に配置される。一方、元の原稿が右から読む原稿である場合、当該裏の面に対応するページ画像が右側の領域に配置される。そして、次のページ画像が元の原稿の表の面に対応する場合、当該ページ画像がその隣の左側の領域に配置される。その結果、オリジナル原稿において、見開きの左右に連続したページにまたがって記載された回路図、地図、またはその他の画像を、オリジナル原稿と同様のページ構成で印刷することができる。
【０１３７】
［実施の形態２］
実施の形態１の、穴跡検出部１０４、表裏判定部１０５、およびレイアウト処理部１０６の処理の少なくとも一部を、ネットワーク等を介してプリンタ（またはデジタル複合機）に接続されるコンピュータデバイスによって実行してもよい。
【０１３８】
図１１は、プリンタ１１０と本実施の形態のコンピュータデバイス１１１とを示すブロック図である。プリンタ１１０は、従来の両面印刷可能な一般的なプリンタであり、ネットワーク１１２で接続されたコンピュータデバイス１１１からの指示（画像形成ジョブデータ）に基づき画像形成処理を行う画像形成装置である。コンピュータデバイス（画像処理装置）１１１は、画像形成指示部１１３を備える。
【０１３９】
画像形成指示部１１３は、コンピュータデバイス１１１上で動作するアプリケーションの印刷要求を受信し、外部のプリンタ１１０に画像形成ジョブデータを出力し、記録シートへの印刷を指示するものである。画像形成指示部１１３は、穴跡検出部１１４、表裏判定部１１５、レイアウト処理部１１６、条件入力部１１７、および指示出力部（出力部）１１８を備える。
【０１４０】
条件入力部１１７は、利用者による記録シートサイズ、片面両面印刷、および印刷レイアウト等の画像形成に関する条件の入力を受け付ける。以下では、利用者によって両面印刷が指定された場合について説明する。
【０１４１】
穴跡検出部１１４は、実施の形態１の穴跡検出部１０４と同様の処理を行う。アプリケーションによって、複数ページを有する電子文書の印刷要求が画像形成指示部１１３に入力されると、穴跡検出部１１４は、該電子文書に含まれる各ページ画像について、パンチ穴跡の検出処理を行う。
【０１４２】
表裏判定部１１５は、実施の形態１の表裏判定部１０５と同様の処理を行う。穴跡検出部１１４の検出結果に基づき、表裏判定部１１５は、各ページ画像が元の原稿の表裏のいずれの面に対応するものであるかを判定する。
【０１４３】
レイアウト処理部１１６は、実施の形態１のレイアウト処理部１０６と同様の処理を行う。表裏判定部１１５の判定結果に基づき、各ページ画像のレイアウト（記録シートのいずれの面に印刷するか）を決定する。レイアウトを決定した結果、表の面が空白であるようにレイアウトされる記録シートがある場合、レイアウト処理部１１６は、白紙のページ画像が空白の面に該当する位置に挿入されるように、白紙のページ画像の画像データを電子文書の画像データに追加する。裏の面が空白であるようにレイアウトされる記録シートがある場合も同様に行ってもよい。また、裏の面が空白であるようにレイアウトされる記録シートがある場合、その表の面のページ画像については片面印刷を指定してもよい。
【０１４４】
指示出力部（出力部）１１８は、レイアウト処理部１１６によって修正された（白紙のページ画像が追加された）電子文書の画像データと、記録シートサイズ、片面両面印刷、および印刷レイアウト等の画像形成に関する条件の情報とを画像形成ジョブデータとしてプリンタ１１０に出力する。プリンタ１１０は、入力された画像形成ジョブデータに基づいて通常通り印刷処理を行うことができる。
【０１４５】
このように、穴跡検出処理、表裏判定処理、およびレイアウト処理をプリンタ１１０に接続されたコンピュータデバイス１１１が行うことで、従来のプリンタ１１０を用いて、電子文書の印刷の際にそのオリジナル原稿のページ構成を再現して電子文書を印刷することができる。
【０１４６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１４７】
最後に、制御部２４および画像形成指示部１１３の各ブロックは、ハードウェアロジックによって構成してもよいし、次のようにＣＰＵ（central processing unit）を用いてソフトウェアによって実現してもよい。
【０１４８】
すなわち、制御部２４または画像形成指示部１１３は、各機能を実現する制御プログラムの命令を実行するＣＰＵ、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである制御部２４または画像形成指示部１１３の制御プログラムのプログラムコード（実行形式プログラム、中間コードプログラム、ソースプログラム）をコンピュータで読み取り可能に記録した記録媒体を、上記制御部２４または画像形成指示部１１３に供給し、そのコンピュータ（またはＣＰＵやＭＰＵ（microprocessor unit））が記録媒体に記録されているプログラムコードを読み出し実行することによっても、達成可能である。
【０１４９】
上記記録媒体としては、例えば、磁気テープやカセットテープ等のテープ系、フロッピー（登録商標）ディスク／ハードディスク等の磁気ディスクやＣＤ−ＲＯＭ（compact disc read-only memory）／ＭＯ（magneto-optical）／ＭＤ（Mini Disc）／ＤＶＤ（digital versatile disk）／ＣＤ−Ｒ（CD Recordable）等の光ディスクを含むディスク系、ＩＣカード（メモリカードを含む）／光カード等のカード系、あるいはマスクＲＯＭ／ＥＰＲＯＭ（erasable programmable read-only memory）／ＥＥＰＲＯＭ（electrically erasable and programmable read-only memory）／フラッシュＲＯＭ等の半導体メモリ系などを用いることができる。
【０１５０】
また、制御部２４または画像形成指示部１１３を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ（local area network）、ＩＳＤＮ（integrated services digital network）、ＶＡＮ（value-added network）、ＣＡＴＶ（community antenna television）通信網、仮想専用網（virtual private network）、電話回線網、移動体通信網、衛星通信網等が利用可能である。また、通信ネットワークを構成する伝送媒体としては、特に限定されず、例えば、ＩＥＥＥ（institute of electrical and electronic engineers）１３９４、ＵＳＢ、電力線搬送、ケーブルＴＶ回線、電話線、ＡＤＳＬ（asynchronous digital subscriber loop）回線等の有線でも、ＩｒＤＡ（infrared data association）やリモコンのような赤外線、Ｂｌｕｅｔｏｏｔｈ（登録商標）、８０２．１１無線、ＨＤＲ（high data rate）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１５１】
本発明は、電子写真方式の画像形成装置に適用できる。
【符号の説明】
【０１５２】
１    デジタル複合機（画像形成装置）
２    画像形成ユニット
３    スキャナ
４    自動原稿搬送装置
５    後処理装置
６    記録材供給装置
８    中継搬送ユニット
１０    両面搬送装置
２０    電子写真プロセス部
２４    制御部
２５    画像生成部
２６    電源ユニット
１０１    インターフェース部
１０２    記憶部
１０３    装置制御部
１０４、１１４    穴跡検出部（検出部）
１０５、１１５    表裏判定部（面判定部）
１０６、１１６    レイアウト処理部（レイアウト決定部）
１１０    プリンタ
１１１    コンピュータデバイス（画像処理装置）
１１３    画像形成指示部
１１７    条件入力部
１１８    指示出力部（出力部）
【図１】
2011035667.tif 000003
【図２】
2011035667.tif 000004
【図３】
2011035667.tif 000005
【図４】
2011035667.tif 000006
【図５】
2011035667.tif 000007
【図６】
2011035667.tif 000008
【図７】
2011035667.tif 000009
【図８】
2011035667.tif 000010
【図９】
2011035667.tif 000011
【図１０】
2011035667.tif 000012
【図１１】
2011035667.tif 000013
【図１２】
2011035667.tif 000014
【図１３】
2011035667.tif 000015